【手続補正書】
【提出日】平成28年6月28日(2016.6.28)
【手続補正１】
【補正対象書類名】明細書
【補正対象項目名】発明の名称
【補正方法】変更
【補正の内容】
【発明の名称】記録媒体の供給装置、記録媒体の印刷装置、記録媒体の残量導出装置、記録媒体の残量導出方法及びプログラム
【手続補正２】
【補正対象書類名】明細書
【補正対象項目名】０００１
【補正方法】変更
【補正の内容】
【０００１】
本発明は、記録媒体の供給装置、記録媒体の印刷装置、記録媒体の残量導出装置、記録媒体の残量導出方法及びプログラムに関する。
【手続補正３】
【補正対象書類名】明細書
【補正対象項目名】０００７
【補正方法】変更
【補正の内容】
【０００７】
本発明は、以上のような課題を解決するためのものであり、ロール状に巻かれた記録媒体への損傷を防ぎつつロール状に巻かれた記録媒体の残量を簡便な方法で導出するために好適な記録媒体の供給装置、記録媒体の印刷装置、記録媒体の残量導出装置、記録媒体の残量導出方法及びプログラムを提供することを目的とする。
【手続補正４】
【補正対象書類名】明細書
【補正対象項目名】０００８
【補正方法】変更
【補正の内容】
【０００８】
上記目的を達成するため、本発明に係る記録媒体の供給装置、印刷装置、残量導出装置は、ロール状に巻かれた記録媒体を回転可能に保持する保持手段と、第１の条件が満たされると前記保持手段の回転軸を第１の回転速度で回転させて前記保持手段から前記記録媒体を巻き出し、第２の条件が満たされると前記保持手段の前記回転軸を前記第１の回転速度よりも遅い第２の回転速度で回転させて前記保持手段から前記記録媒体を巻き出す巻き出し制御手段と、前記第１の条件が満たされてから次に前記第１の条件が満たされるまでの経過時間、又は、前記第２の条件が満たされてから次に前記第１の条件が満たされるまでの経過時間に基づいて、前記保持手段が保持する前記ロール状に巻かれた記録媒体の残量を導出する導出手段と、を備える、ことを特徴とする。
上記目的を達成するため、本発明に係る記録媒体の残量導出方法は、ロール状に巻かれた記録媒体を保持手段に回転可能に保持し、第１の条件が満たされると前記保持手段の回転軸を第１の回転速度で回転させて前記記録媒体を巻き出し、第２の条件が満たされると前記回転軸を前記第１の回転速度よりも遅い第２の回転速度で回転させて前記記録媒体を巻き出し、前記第１の条件が満たされてから次に前記第１の条件が満たされるまでの経過時間、又は、前記第２の条件が満たされてから次に前記第１の条件が満たされるまでの経過時間を取得し、取得した経過時間に基づいて、前記記録媒体の残量を導出する、ことを特徴とする。
上記目的を達成するため、本発明に係る記録媒体の残量導出プログラムは、コンピュータに、ロール状に巻かれた記録媒体を保持手段に回転可能に保持させ、第１の条件が満たされると、前記保持手段の回転軸を第１の回転速度で回転させて前記記録媒体を巻き出させ、第２の条件が満たされると、前記回転軸を前記第１の回転速度よりも遅い第２の回転速度で回転させて前記記録媒体を巻き出させ、前記第１の条件が満たされてから次に前記第１の条件が満たされるまでの経過時間、又は、前記第２の条件が満たされてから次に前記第１の条件が満たされるまでの経過時間を取得させ、取得させた前記経過時間に基づいて、前記記録媒体の残量を導出させる、ことを特徴とする。
【手続補正５】
【補正対象書類名】明細書
【補正対象項目名】０００９
【補正方法】変更
【補正の内容】
【０００９】
本発明によれば、ロール状に巻かれた記録媒体への損傷を防ぎつつロール状に巻かれた記録媒体の残量を簡便な方法で導出するために好適な記録媒体の供給装置、記録媒体の印刷装置、記録媒体の残量導出装置、記録媒体の残量導出方法及びプログラムを提供することができる。
【手続補正６】
【補正対象書類名】特許請求の範囲
【補正対象項目名】全文
【補正方法】変更
【補正の内容】
【特許請求の範囲】
【請求項１】
ロール状に巻かれた記録媒体を回転可能に保持する保持手段と、
第１の条件が満たされると前記保持手段の回転軸を第１の回転速度で回転させて前記保持手段から前記記録媒体を巻き出し、第２の条件が満たされると前記保持手段の前記回転軸を前記第１の回転速度よりも遅い第２の回転速度で回転させて前記保持手段から前記記録媒体を巻き出す巻き出し制御手段と、
前記第１の条件が満たされてから次に前記第１の条件が満たされるまでの経過時間、又は、前記第２の条件が満たされてから次に前記第１の条件が満たされるまでの経過時間に基づいて、前記保持手段が保持する前記ロール状に巻かれた記録媒体の残量を導出する導出手段と、
を備える、
ことを特徴とする記録媒体の供給装置。
【請求項２】
前記保持手段から巻き出された前記記録媒体に対して所定の張力を与え、当該記録媒体の弛みに応じて変位するテンションローラを備え、
前記第１の条件は、前記テンションローラの位置が所定の閾位置に達した場合に満たされ、
前記第２の条件は、前記第１の条件が満たされてからの経過時間が所定の上限時間に達した場合に満たされる、
ことを特徴とする請求項１に記載の記録媒体の供給装置。
【請求項３】
前記導出手段は、前記第１の条件が満たされてから次に前記第１の条件が満たされるまでの経過時間、又は、前記第２の条件が満たされてから次に前記第１の条件が満たされるまでの経過時間が短くなるほど前記保持手段が保持する前記記録媒体の残量が少なくなるように、前記保持手段が保持する前記記録媒体の残量を導出する、
ことを特徴とする請求項１又は２に記載の記録媒体の供給装置。
【請求項４】
画像形成手段に前記記録媒体を所定の速度で搬送する搬送手段を備え、
前記第１の回転速度は、前記保持手段の前記回転軸が前記第１の回転速度で回転したときの前記保持手段の前記回転軸又は巻き芯の周速度が前記搬送手段によって搬送される前記記録媒体の速度よりも大きい、
ことを特徴とする請求項１から３のいずれか１項に記載の記録媒体の供給装置。
【請求項５】
前記第２の回転速度は、前記保持手段が保持する前記記録媒体の残量が最大のときに前記保持手段の回転軸が前記第２の回転速度で回転したときのロール状に巻かれた前記記録媒体の周速度が前記搬送手段によって搬送される前記記録媒体の速度よりも小さい、
ことを特徴とする請求項４に記載の記録媒体の供給装置。
【請求項６】
前記テンションローラを所定の位置で挟むように配置された発光素子と受光素子とを有し、前記発光素子から発せられた光を前記受光素子が受けたか否かを判別することにより前記テンションローラの位置を測定する位置センサを備える、
ことを特徴とする請求項２に記載の記録媒体の供給装置。
【請求項７】
前記テンションローラが移動する距離を検知するように配置された当該テンションローラまでの距離を測定する距離センサをさらに備える、
ことを特徴とする請求項２に記載の記録媒体の供給装置。
【請求項８】
前記第２の回転速度は停止を含む、
ことを特徴とする請求項１から７のいずれか１項に記載の記録媒体の供給装置。
【請求項９】
ロール状に巻かれた記録媒体を回転可能に保持する保持手段と、
第１の条件が満たされると前記保持手段の回転軸を第１の回転速度で回転させて前記保持手段から前記記録媒体を巻き出し、第２の条件が満たされると前記保持手段の前記回転軸を前記第１の回転速度よりも遅い第２の回転速度で回転させて前記保持手段から前記記録媒体を巻き出す巻き出し制御手段と、
前記第１の条件が満たされてから次に前記第１の条件が満たされるまでの経過時間、又は、前記第２の条件が満たされてから次に前記第１の条件が満たされるまでの経過時間に基づいて、前記保持手段が保持する前記記録媒体の残量を導出する導出手段と、
を備える、
ことを特徴とする記録媒体の印刷装置。
【請求項１０】
ロール状に巻かれた記録媒体を回転可能に保持する保持手段と、
第１の条件が満たされると前記保持手段の回転軸を第１の回転速度で回転させて前記保持手段から前記記録媒体を巻き出し、第２の条件が満たされると前記保持手段の前記回転軸を前記第１の回転速度よりも遅い第２の回転速度で回転させて前記保持手段から前記記録媒体を巻き出す巻き出し制御手段と、
前記第１の条件が満たされてから次に前記第１の条件が満たされるまでの経過時間、又は、前記第２の条件が満たされてから次に前記第１の条件が満たされるまでの経過時間を取得する取得手段と、
前記取得手段が取得した経過時間に基づいて、前記保持手段が保持する前記記録媒体の残量を導出する導出手段と、
を備える、
ことを特徴とする記録媒体の残量導出装置。
【請求項１１】
ロール状に巻かれた記録媒体を保持手段に回転可能に保持し、
第１の条件が満たされると前記保持手段の回転軸を第１の回転速度で回転させて前記記録媒体を巻き出し、
第２の条件が満たされると前記回転軸を前記第１の回転速度よりも遅い第２の回転速度で回転させて前記記録媒体を巻き出し、
前記第１の条件が満たされてから次に前記第１の条件が満たされるまでの経過時間、又は、前記第２の条件が満たされてから次に前記第１の条件が満たされるまでの経過時間を取得し、
取得した経過時間に基づいて、前記記録媒体の残量を導出する、
ことを特徴とする記録媒体の残量導出方法。
【請求項１２】
コンピュータに、
ロール状に巻かれた記録媒体を保持手段に回転可能に保持させ、
第１の条件が満たされると、前記保持手段の回転軸を第１の回転速度で回転させて前記記録媒体を巻き出させ、
第２の条件が満たされると、前記回転軸を前記第１の回転速度よりも遅い第２の回転速度で回転させて前記記録媒体を巻き出させ、
前記第１の条件が満たされてから次に前記第１の条件が満たされるまでの経過時間、又は、前記第２の条件が満たされてから次に前記第１の条件が満たされるまでの経過時間を取得させ、
取得させた前記経過時間に基づいて、前記記録媒体の残量を導出させる、
ことを特徴とするプログラム。